(57)【要約】  【課題】  ヒートポンプユニットに流れる流量を減少させて負荷を減少させ、ヒートポンプユニットで加熱される温水温度の立ち上がりを向上させること。  【解決手段】  床暖房パネル１、２による床暖房とファンコイル２２による浴室暖房を同時に行うと、制御装置Ｓ２により熱動弁５、６、２４が開き、循環ポンプ７が運転し、膨張タンク８→循環ポンプ７→第１水冷媒熱交換器９の水流路９Ｂ→流量調整弁２１→熱動弁５及び６→床暖房パネル１、２→膨張タンク８の順に温水が流れると共に、膨張タンク８→循環ポンプ７→第１水冷媒熱交換器９の水流路９Ｂ→流量調整弁２１→熱動弁２４→ファンコイル２２→膨張タンク８の順に温水が流れ、また制御装置Ｓ２は混合熱動弁２５Ａを開かせ、膨張タンク８から流出した循環水の一部が第１水冷媒熱交換器９の水流路９Ｂを経ることなく流路２５を介して床暖房パネル１、２へ流れる。  【選択図】  図２
2005274021.tif 000002
【特許請求の範囲】
【請求項１】
圧縮機、それぞれ減圧装置が接続された暖房用の第1水冷媒熱交換器と貯湯用の第２水冷媒熱交換器との並列回路、空気熱交換器を順次環状に接続してなる冷媒回路を備えたヒートポンプユニットと、膨張タンク、前記第１水冷媒熱交換器と床暖房パネル及び浴室暖房装置との間で第１循環ポンプの運転により温水を循環させる第１温水循環路及び前記第２水冷媒熱交換器と貯湯タンクとの間で第２循環ポンプにより温水を循環させる第２温水循環路とを有するタンクユニットとを備えたヒートポンプ式給湯暖房装置において、床暖房及び浴室暖房の同時運転時には前記第１循環ポンプの運転により前記膨張タンクより流出した温水の一部を開閉弁を介して前記第１水冷媒熱交換器を経ることなく前記床暖房パネルに供給するようにしたことを特徴とするヒートポンプ式給湯暖房装置。
【請求項２】
圧縮機、それぞれ減圧装置が接続された暖房用の第1水冷媒熱交換器と貯湯用の第２水冷媒熱交換器との並列回路、空気熱交換器を順次環状に接続してなる冷媒回路を備えたヒートポンプユニットと、膨張タンク、前記第１水冷媒熱交換器と床暖房パネル及び浴室暖房装置との間で第１循環ポンプの運転により温水を循環させる第１温水循環路及び前記第２水冷媒熱交換器と貯湯タンクとの間で第２循環ポンプにより温水を循環させる第２温水循環路とを有するタンクユニットとを備えたヒートポンプ式給湯暖房装置において、前記第１循環ポンプの運転によりこの第１循環ポンプより流出した温水の一部を前記第１水冷媒熱交換器を経ることなく前記床暖房パネルに供給するための流路と、この流路に設けられた開閉弁と、床暖房及び浴室暖房の同時運転時には前記第１循環ポンプの運転により前記第１温水循環路に温水を循環させると共に前記第１循環ポンプの運転によりこの第１循環ポンプより流出した温水の一部を前記第１水冷媒熱交換器を経ることなく前記床暖房パネルに供給するように前記開閉弁を開くように制御する制御装置とを設けたことを特徴とするヒートポンプ式給湯暖房装置。
【発明の詳細な説明】
【技術分野】
【０００１】
本発明は、ＨＦＣやＣＯ２等の冷媒を用いたヒートポンプ式給湯暖房装置に関する。詳述すれば、圧縮機、それぞれ減圧装置が接続された暖房用の第1水冷媒熱交換器と貯湯用の第２水冷媒熱交換器との並列回路、空気熱交換器を順次環状に接続してなる冷媒回路を備えたヒートポンプユニットと、膨張タンク、前記第１水冷媒熱交換器と床暖房パネル及び浴室暖房装置との間で第１循環ポンプの運転により温水を循環させる第１温水循環路及び前記第２水冷媒熱交換器と貯湯タンクとの間で第２循環ポンプにより温水を循環させる第２温水循環路とを有するタンクユニットとを備えたヒートポンプ式給湯暖房装置に関する。
【背景技術】
【０００２】
従来のこの種のヒートポンプ式給湯暖房装置は、ヒートポンプユニットで熱交換して得られた高温水を貯湯タンクに貯湯・蓄熱し、このタンクの高温水を給湯や風呂に使用するとともに、この高温水と熱交換して得られた暖房用温水を用いて温水暖房を行うものが知られている。このものでは、暖房負荷が大きいと十分な温度の温水が得られないものであった。
【０００３】
また、ヒートポンプユニットの冷媒回路に給湯用の水冷媒熱交換器と暖房用の水冷媒熱交換器を直列に組み込み、給湯用の温水と暖房用の温水とが得られるようにしたものが知られている（例えば、特許文献１参照）。
【０００４】
ところが、このものでは、温水暖房を行っているときは高温水の貯湯ができなくなるため、高温水の貯湯と温水暖房のいずれかを優先させたり、交互に行うなどしなければならず、使い勝手の面で問題があった。
【０００５】
このため、本出願人は高温水の貯湯と温水暖房とを同時に行う場合や、どちらか一方を行う場合のいずれにも対応できるようにし、使い勝手の良いヒートポンプ式給湯暖房装置を提案した（特許文献２参照）。
【０００６】
そして、この特許文献２にあっては、床暖房と浴室暖房を同時運転する場合において、第１水冷媒熱交換器において熱交換された温水を床暖房パネル及び浴室暖房装置のファンコイルに流すが、床暖房パネル用の温水としては温度が高すぎるために、熱交換された８０℃の温水に熱動弁を開いて膨張タンクからの中温水を混ぜ６０〜７０℃になるように制御している。また、この場合、中温水を混ぜすぎて低温になった場合は熱動弁を閉じるようにサーミスタの検知温度に基づいて前記熱動弁の開閉制御を行っている。
【特許文献１】特開２００２−２５７３６６号公報
【特許文献２】特願２００３−５９４２の特許願に添付した明細書及び図面
【発明の開示】
【発明が解決しようとする課題】
【０００７】
しかし、特許文献２に開示する技術によれば、温水温度が常温の状態から床暖房と浴室暖房の同時運転を始めると、サーミスタは床暖房で必要とされる温度（６０〜７０℃）となっていないので、熱動弁は閉じたままの状態となっている。従って、膨張タンクからヒートポンプユニットに流れる温水流量は、床暖房の温水循環経路と浴室暖房の温水循環経路との合計した流量であり、浴室暖房単独運転時よりも流量が増える。このため、ヒートポンプユニットではその分多くの熱量が必要となる。しかしながら、ヒートポンプユニットの特性上、急激に熱量を増大させることができないので、温水温度の立ち上がりが悪くなり、その結果８０℃の温水を必要とする浴室暖房への必要温水供給が遅れることとなるため、浴室暖房装置で冷風防止機能が働いて、温風がなかなか吹出されないという問題があった。
【０００８】
また、特許文献２に開示する技術によれば、サーミスタの検知温度に基づく熱動弁の開閉制御を行うと、例えば熱動弁を閉じていると膨張タンクから流れ出る流量全てがヒートポンプユニットへ流れ、また熱動弁が開くと膨張タンクから流れ出る流量の一部がヒートポンプユニットを経ることなく、この熱動弁側にも流れる。例えば、膨張タンクから流れ出る流量が３リットル／分とすると、ヒートポンプユニットへ２リットル／分、前記熱動弁動弁側へ１リットル／分流れることとなる。このため、ヒートポンプユニットで流量が変化した分、負荷変動が生じる。これにより、ヒートポンプユニットへの流量が３リットル／分から２リットル／分になると、第１水冷媒熱交換器の水流路から出る温水の温度が急激に上昇し、その反対では急激に低下する。ヒートポンプユニットはこの変化に対し、ある一定温度に保とうとするので、圧縮機の運転周波数や暖房用の膨張弁を調節するが、その動作がヒートポンプユニットの特性上、負荷変化に対し急激に設定を変化させ追従させることができないため、目標とされる温水温度になかなか到達できないという問題があった。
【０００９】
更に、特許文献２に開示する技術によれば、暖房用温水の循環流量制御を循環ポンプと流量調整弁とで行っているが、この流量調整弁をなくして搬送能力を調節できるような循環ポンプ（例えば、ＤＣポンプ）によって循環流量を制御した場合には、前記熱動弁を開いている時よりも閉じている時の方がこのＤＣポンプの出力を上げないと床暖房パネルや浴室暖房のためのファンコイルが必要とする流量を得ることができないという問題がある。これは、ヒートポンプユニット内の第１水冷媒熱交換器の温水配管の圧力損失が大きいため、その損失を補填するためＤＣポンプの能力を上げないと充分な温水循環量が得られないためであり、ＤＣポンプの消費電力が上がってしまう。
【００１０】
そこで本発明は、床暖房及び浴室暖房の同時運転時には循環ポンプの運転により膨張タンクより流出した温水の一部を暖房用の第１水冷媒熱交換器を経ることなく床暖房パネルに供給するようにし、上述せる問題点を解消することを目的とする。
【課題を解決するための手段】
【００１１】
このため第１の発明は、圧縮機、それぞれ減圧装置が接続された暖房用の第1水冷媒熱交換器と貯湯用の第２水冷媒熱交換器との並列回路、空気熱交換器を順次環状に接続してなる冷媒回路を備えたヒートポンプユニットと、膨張タンク、前記第１水冷媒熱交換器と床暖房パネル及び浴室暖房装置との間で第１循環ポンプの運転により温水を循環させる第１温水循環路及び前記第２水冷媒熱交換器と貯湯タンクとの間で第２循環ポンプにより温水を循環させる第２温水循環路とを有するタンクユニットとを備えたヒートポンプ式給湯暖房装置において、床暖房及び浴室暖房の同時運転時には前記第１循環ポンプの運転により前記膨張タンクより流出した温水の一部を開閉弁を介して前記第１水冷媒熱交換器を経ることなく前記床暖房パネルに供給するようにしたことを特徴とする。
【００１２】
第２の発明は、圧縮機、それぞれ減圧装置が接続された暖房用の第1水冷媒熱交換器と貯湯用の第２水冷媒熱交換器との並列回路、空気熱交換器を順次環状に接続してなる冷媒回路を備えたヒートポンプユニットと、膨張タンク、前記第１水冷媒熱交換器と床暖房パネル及び浴室暖房装置との間で第１循環ポンプの運転により温水を循環させる第１温水循環路及び前記第２水冷媒熱交換器と貯湯タンクとの間で第２循環ポンプにより温水を循環させる第２温水循環路とを有するタンクユニットとを備えたヒートポンプ式給湯暖房装置において、前記第１循環ポンプの運転によりこの第１循環ポンプより流出した温水の一部を前記第１水冷媒熱交換器を経ることなく前記床暖房パネルに供給するための流路と、この流路に設けられた開閉弁と、床暖房及び浴室暖房の同時運転時には前記第１循環ポンプの運転により前記第１温水循環路に温水を循環させると共に前記第１循環ポンプの運転によりこの第１循環ポンプより流出した温水の一部を前記第１水冷媒熱交換器を経ることなく前記床暖房パネルに供給するように前記開閉弁を開くように制御する制御装置とを設けたことを特徴とする。
【発明の効果】
【００１３】
本発明によれば、床暖房と浴室暖房の同時運転の場合には、開閉弁を開くように制御するので、膨張タンクから流出した循環水の一部が第１水冷媒熱交換器の水流路を経ることなく流路を介して床暖房パネルへ流れ、そのためヒートポンプユニットに流れる流量が減少することとなり、負荷が減少し、ヒートポンプユニットで加熱される温水温度の立ち上がりが向上する。
【００１４】
また、前記同時運転の場合には、開閉弁が開いたままとなっているので、流量変化による負荷変動が少なく、ヒートポンプユニットで加熱された温水の温度が安定化し易い。
【００１５】
更には、前記同時運転の場合には、開閉弁が開いたままとなっているので、循環水が開閉弁を介して床暖房パネルへ流れ、第１循環ポンプは第１水冷媒熱交換器の温水配管の圧力損失の影響を受けにくくなり、第１循環ポンプの搬送能力を上げなくて済み、第１循環ポンプによる消費電力を軽減することができる。
【発明を実施するための最良の形態】
【００１６】
以下、本発明の実施の形態を図面に基づき説明する。図１はヒートポンプ式給湯暖房装置の全体システムを示す系統図である。図１において、Ａはヒートポンプユニット、Ｂはタンクユニット、Ｃ１は温水暖房用の第１温水循環路、Ｃ２は貯湯用の第２温水循環路、Ｒは前記ヒートポンプユニットＡに内蔵された冷媒回路である。この冷媒回路Ｒにおいて、ＨＦＣやＣＯ２等の冷媒を用いることができるが、本実施形態ではＣＯ２を用いる。
【００１７】
１及び２は第１温水循環路Ｃ１に設けられた床暖房パネル、３及び４は前記床暖房パネル１及び２に対応して設けられた床暖房リモートコントローラ（以下、「床暖房リモコン」という）であり、前記第１温水循環路Ｃ１には、熱動弁５及び６、搬送能力が調節できるＤＣポンプなどの循環ポンプ７、膨張タンク８、暖房用の第１水冷媒熱交換器９の水流路９Ｂ、バイパス路となるバイパス管１０などが設けられている。
【００１８】
前記冷媒回路Ｒは、ＣＯ２冷媒を用いた能力調整が可能な２段圧縮式の圧縮機１１と、第１水冷媒熱交換器９の冷媒流路９Ａ、内部熱交換器１２の一次流路１２Ａ、暖房用の第１開閉弁１３及び第１膨張弁（減圧装置）１４よりなる第１分岐路Ｐ１と貯湯用の第２水冷媒熱交換器１５の冷媒流路１５Ａ、貯湯用の第２開閉弁１６及び第２膨張弁（減圧装置）１７よりなる第２分岐路Ｐ２との並列回路と、空気熱交換器１８と、内部熱交換器１２の二次流路１２Ｂと、アキュムレーター１９とが順次環状に配管接続されている。
【００１９】
前記第１温水循環路Ｃ１には、第１水冷媒熱交換器９の水流路９Ｂから流出した暖房用温水の温度を検出するサーミスタ２０、流量調整弁２１、浴室暖房装置のファンコイル２２が設けられている。２３は浴室暖房リモートコントローラ（以下、「浴室暖房リモコン」という）、２４は前記ファンコイル２２の入口部に設けられた熱動弁、２５は循環ポンプ７によって膨張タンク８から流出した温水の一部を第１水冷媒熱交換器９の水流路９Ｂを経ることなく床暖房パネル１、２に供給するための流路、２５Ａはこの流路２５に設けられた開閉弁としての混合熱動弁である。
【００２０】
前記第２温水循環路Ｃ２は、貯湯用の第２水冷媒熱交換器１５の水流路１５Ｂと貯湯タンク２７とが循環ポンプ２８、流量調整弁２９を介して環状に接続されている。３０は第２水冷媒熱交換器１５の水流路１５Ｂから流出した温水温度を検知するサーミスタである。
【００２１】
前記貯湯タンク２７には水々熱交換器３１の一次流路３１Ａが循環ポンプ３２を介して接続されている。また、水々熱交換器３１の二次流路３１Ｂには循環ポンプ３３を介して浴槽３４が接続されている。３５は貯湯タンク２７の上部に接続された給湯管であり、この給湯管３５にはミキシングバルブ３６が設けられている。３８は給水管であり、この給水管３８は貯湯タンク２７の下部と前記ミキシングバルブ３６とに分岐接続され、更に開閉弁３９を介して膨張タンク８に接続されている。
【００２２】
４０は台所リモートコントローラ（以下、「台所リモコン」という）、４１は風呂リモートコントローラ（以下、「風呂リモコン」という）である。
【００２３】
また、ヒートポンプユニットＡとタンクユニットＢには、それぞれマイクロコンピュータ等から成る制御装置Ｓ１、Ｓ２が設けられている。この制御装置Ｓ１、Ｓ２は床暖房リモコン３、４、浴室暖房リモコン２３からの運転信号や
サーミスタ２０、３０の温度信号とに応じて、圧縮機１１の運転及び周波数制御、循環ポンプ７、２８の運転制御、熱動弁５、６、２５Ａの開閉制御、開閉弁１３、１６の開閉制御、膨張弁１４、１７の開度制御、流量調整弁２１、２９の開度制御などを行うものであり、以下その動作を説明する。
【００２４】
〈床暖房単独運転〉
床暖房パネル１による床暖房を行う場合、その部屋の壁面等に取り付けられた床暖房リモコン３の運転スイッチをオンにする。すると、その運転信号を受けた制御装置Ｓ２によりこれに対応した熱動弁５が開かれ、循環ポンプ７が運転し、第１温水循環路Ｃ１では、膨張タンク８→循環ポンプ７→第１水冷媒熱交換器９の水流路９Ｂ→流量調整弁２１→熱動弁５→床暖房パネル１→膨張タンク８の順に温水が流れる。なお、この床暖房単独運転の場合には図２に示すように制御装置Ｓ２により混合熱動弁２５Ａは閉じており、またバイパス管１０は熱動弁５が開くのに時間がかかるので、開くまでの間、温水の一部をバイパスさせるものであり、微少量の温水が流れる。
【００２５】
また、前記床暖房リモコン３の運転スイッチをオンにした際に、制御装置Ｓ２から運転信号を伝達された制御装置Ｓ１によりヒートポンプユニットＡの圧縮機１１が運転すると共に第１開閉弁１３が開き、冷媒回路Ｒでは、圧縮機１１→第１水冷媒熱交換器９の冷媒流路９Ａ→内部熱交換器１２の一次流路１２Ａ→第１開閉弁１３→第１膨張弁１４→空気熱交換器１８→内部熱交換器１２の二次流路１２Ｂ→アキュムレーター１９→圧縮機１１の順に冷媒が流れる。このとき、貯湯は行われないので、貯湯用の第２開閉弁１６及び第２膨張弁１７は閉じており、貯湯用の第１水冷媒熱交換器１５の一次流路１５Ａには冷媒は流れない。
【００２６】
前記床暖房パネル１に供給される温水の温度は６０〜７０℃であるが、サーミスタ２０が検知する温水温度がこの温度になるように圧縮機１１の周波数制御、第１膨張弁１４の弁開度制御及び流量調整弁２１の弁開度制御が制御装置Ｓ１により行われる。
【００２７】
また、床暖房制御は、床暖房リモコン３に搭載された室温サーミスタ（図示せず）により室温を検知し、設定温度と室温との偏差に基づき熱動弁５を開閉制御し、床暖房パネル１への温水量を制御装置Ｓ２が制御することにより行われる。
【００２８】
また、床暖房パネル１、２で同時に床暖房を行う場合、床暖房リモコン３及び４の運転スイッチをオンにすることにより、同様に熱動弁５及び６が開閉制御され、床暖房パネル１及び２に同時に温水が供給され、床暖房パネル１及び２への温水量を個別に制御することにより、床暖房の個別制御が可能となっている。
【００２９】
このような床暖房運転を行う場合、床暖房する部屋が暖まってくると、床暖房パネル１、２からの放熱量が小さくなり、膨張タンク８から水冷媒熱交換器９の水流路９Ｂへは５０〜６０℃の温水が供給されることとなる。このため、水冷媒熱交換器９ではそれほど熱交換されず、冷媒温度も高温となって圧縮機１１に負荷がかかる。このような場合の冷媒の冷却機構として設けたのが内部熱交換器１２であり、内部熱交換器１２の一次流路１２Ａでの放熱分は同じ冷媒回路Ｒにある内部熱交換器１２の二次流路１２Ｂで再度吸収されるため、無駄なく、効率を落とすことなく、冷媒回路Ｒを構成できる。
【００３０】
〈浴室暖房単独運転〉
浴室暖房装置のファンコイル２２による浴室暖房を行う場合、浴室暖房リモコン２３の運転スイッチをオンにする。すると、その運転信号を受けた制御装置Ｓ２によりファンコイル２２入口部の熱動弁２４が開き、循環ポンプ７が運転する。第１温水循環路Ｃ１では、膨張タンク８→循環ポンプ７→第１水冷媒熱交換器９の水流路９Ｂ→流量調整弁２１→熱動弁２４→ファンコイル２２→膨張タンク８の順に温水が流れる。なお、この浴室暖房単独運転の場合には図２に示すように制御装置Ｓ２により混合熱動弁２５Ａは閉じており、またバイパス管１０は熱動弁２４が開くのに時間がかかるので、開くまでの間、温水の一部をバイパスさせるものであり、微少量の温水が流れる。
【００３１】
ヒートポンプユニットＡの動作と冷媒循環は床暖房運転と同様であり、貯湯は行われないので、第２開閉弁１６及び第２膨張弁１７は閉じており、第２水冷媒熱交換器１５の一次流路１５Ａには冷媒は流れない。
【００３２】
前記ファンコイル２２に供給される温水の温度は８０℃であるが、そのための温水制御は床暖房運転の場合と同様である。また、制御装置Ｓ２による浴室暖房制御はファンコイル２２に搭載された室温サーミスタ（図示せず）により室温を検知し、ファン回転数を制御し、熱動弁２４を開閉制御することにより行われる。
【００３３】
〈床暖房と浴室暖房の同時運転〉
床暖房パネル１、２による床暖房と、ファンコイル２２による浴室暖房を同時に行う場合、それぞれのリモコン３、４、２３の運転スイッチをオンにする。すると、制御装置Ｓ２により熱動弁５、６、２４が開き、循環ポンプ７が運転し、第１温水循環路Ｃ１では、膨張タンク８→循環ポンプ７→第１水冷媒熱交換器９の水流路９Ｂ→流量調整弁２１→熱動弁５及び６→床暖房パネル１、２→膨張タンク８の順に温水が流れると共に、膨張タンク８→循環ポンプ７→第１水冷媒熱交換器９の水流路９Ｂ→流量調整弁２１→熱動弁２４→ファンコイル２２→膨張タンク８の順に温水が流れる。
【００３４】
このとき、図２に示すように、この床暖房と浴室暖房の同時運転の場合には、制御装置Ｓ２は混合熱動弁２５Ａを開くように制御するので、膨張タンク８から流出した循環水の一部が第１水冷媒熱交換器９の水流路９Ｂを経ることなく流路２５を介して床暖房パネル１、２へ流れるので、ヒートポンプユニットＡに流れる流量が減少することとなる。従って、負荷が減少し、ヒートポンプユニットＡで加熱される温水温度の立ち上がりが向上する。
【００３５】
また、前記同時運転の場合には、混合熱動弁２５Ａが開いたままとなっているので、流量変化による負荷変動が少なく、ヒートポンプユニットＡで加熱された温水の温度が安定化し易い。
【００３６】
更には、前記同時運転の場合には、混合熱動弁２５Ａが開いたままとなっているので、循環水が混合熱動弁２５Ａを介して床暖房パネル１、２へ流れるので、循環ポンプ７は第１水冷媒熱交換器９の温水配管の圧力損失の影響を受けにくくなる。この結果、循環ポンプ７の搬送能力を上げなくて済み、循環ポンプ７による消費電力を軽減することができる。
【００３７】
バイパス管１０は熱動弁５、６、２４が開くのに時間がかかるので、開くまでの間、温水の一部をバイパスさせるものであり、微少量の温水が流れる。
【００３８】
ヒートポンプユニットＡの動作と冷媒循環は、床暖房運転又は浴室暖房運転と同様であり、貯湯は行われないので、貯湯用の第２開閉弁１６及び第２膨張弁１７は閉じている。
【００３９】
〈貯湯運転〉
台所リモコン４０や風呂リモコン４１の運転スイッチをオンにする。すると、その運転信号が制御装置Ｓ２から制御装置Ｓ１に伝達され、貯湯タンク２７への貯湯が行われる。即ち、制御装置Ｓ１により循環ポンプ２８が運転し、第２温水循環路Ｃ２では、貯湯タンク２７→循環ポンプ２８→第２水冷媒熱交換器１５の水流路１５Ｂ→流量調整弁２９→貯湯タンク２７の順に給湯用の温水が流れ、貯湯タンク２７内に貯湯される。
【００４０】
ヒートポンプユニットＡでは制御装置Ｓ１が圧縮機１１を運転させ、貯湯用の第２開閉弁１６及び第２膨張弁１７を開かせ、冷媒回路Ｒでは、圧縮機１１→第２水冷媒熱交換器１５の冷媒流路１５Ａ→第２開閉弁１６→第２膨張弁１７→空気熱交換器１８→内部熱交換器１２のニ次流路１２Ｂ→アキュムレーター１９→圧縮機１１の順に冷媒が流れる。このとき、暖房は行われないので、第１開閉弁１３及び第１膨張弁１４は閉じている。また、内部熱交換器１２の二次流路１２Ｂでは冷媒がただ通過するだけで、他に影響を及ぼすことはない。
【００４１】
貯湯タンク２７へ供給される温水温度は６５℃から８５℃であるが、サーミスタ３０が検知する温度がこの温度になるように、圧縮機１１の周波数制御、第２膨張弁１７の弁開度制御、流量調整弁２９の弁開度制御が制御装置Ｓ１により行われる。
【００４２】
貯湯タンク２７に貯湯された高温水はミキシングバルブ３６にて適度な温度に調整され、給湯管３５から台所やシャワーへの給湯や浴槽３４へのお湯張り等に利用される。そして、給湯が行われると、給水管３８から貯湯タンク２７に給水が行われる。また、循環ポンプ３２、３３を運転することにより、貯湯タンク２７の高温水と浴槽３４の温水を水々熱交換器３１で熱交換し、浴槽３４の温水の追い焚きを行うこともできる。
【００４３】
〈暖房と貯湯の同時運転〉
暖房と貯湯の同時運転場合の暖房用温水の循環経路と貯湯用の温水の循環経路は上述したとおりである。冷媒回路Ｒでは、制御装置Ｓ１により第１及び第２開閉弁１３、１６が共に開き、圧縮機１１→第１水冷媒熱交換器９の冷媒流路９Ａ→内部熱交換器１２の一次流路１２Ａ→第１開閉弁１３→第１膨張弁１４→空気熱交換器１８→内部熱交換器１２の二次流路１２Ｂ→アキュムレーター１９→圧縮機１１の順に冷媒が流れると共に、圧縮機１１→第２水冷媒熱交換器１５の冷媒流路１５Ａ→第２開閉弁１６→第２膨張弁１７→空気熱交換器１８→内部熱交換器１２の二次流路１２Ｂ→アキュムレーター１９→圧縮機１１の順に冷媒が流れる。
【００４４】
また、サーミスタ２０、３０においてそれぞれ上述した目標温度になるように、圧縮機１１の周波数制御、第１膨張弁１４及び第２膨張弁１７の弁開度制御、流量調整弁２１、２９の弁開度制御が制御装置Ｓ１により行われる。基本的には、膨張弁１４、１７の制御により、第１分岐路（暖房側）Ｐ１と第２分岐路Ｐ２（貯湯側）とに１：１の割合で冷媒を配分し、同時運転が行われた場合でも、暖房側と貯湯側とで十分な能力が得られるようにしてある。
【００４５】
以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００４６】
【図１】ヒートポンプ式給湯暖房装置の全体系統図である。
【図２】混合熱動弁の制御に係るフローチャート図である。
【図３】制御ブロック図である。
【符号の説明】
【００４７】
７              循環ポンプ
９              第１水冷媒熱交換器
１１            圧縮機
１４            暖房用の膨張弁
１５            第２水冷媒熱交換器
１７            貯湯用の膨張弁
２５            流路
２５Ａ          混合熱動弁
２７            貯湯タンク
２８            循環ポンプ
Ａ              ヒートポンプユニット
Ｂ              タンクユニット
Ｃ１            温水暖房用の第1温水循環路
Ｃ２            貯湯用の第２温水循環路
Ｒ              冷媒回路
【図１】
2005274021.tif 000003
【図２】
2005274021.tif 000004
【図３】
2005274021.tif 000005